(57)【要約】      （修正有）【課題】作業時間・時間帯、日数、作業地域、作業環境など多肢多様である清掃業務について、その応募から就職に至るまでを補助する清掃事業に特化した清掃求人マッチング情報サービスシステムを提供する。【解決手段】清掃求人情報を検索項目別に入力可能な求人者用端末装置Ｋ１，Ｋ２・・・・Ｋｎと、前記検索項目に清掃求人情報を入力して検索可能な求職者用端末装置Ｃ１，Ｃ２・・・・Ｃｍと、求職者用端末装置に検索条件に合致した清掃求人情報を清掃勤務態様を含む基本情報として出力する求人情報管理サーバＳとを備えた清掃求人マッチング情報サービスシステムにおいて、求人情報管理サーバが、求職者用端末装置へ出力する清掃求人情報として、清掃勤務態様を含む基本情報を閲覧可能に出力し保存可能にしたことからなる。【選択図】図１
0003208584.tif 000002
【実用新案登録請求の範囲】
【請求項１】
清掃求人情報を検索項目別に入力可能な求人者用端末装置と、前記検索項目に検索条件としての清掃求人情報を入力し表示して検索可能な求職者用端末装置と、求人者用端末装置から入力された清掃求人情報を保存し且つ求職者用端末装置からの検索条件に合致した清掃求人情報を選択して求職者用端末装置へ出力する求人情報管理サーバとを備えた清掃求人情報マッチングサービスシステムにおいて、求人情報管理サーバが、求職者用端末装置へ出力する清掃求人情報として、清掃勤務態様を含む基本情報を閲覧可能に出力し保存可能にしたことからなる清掃求人情報マッチングサービスシステム。
【請求項２】
清掃求人情報を検索項目に選択可能な複数個の選択肢として求職者用端末装置に表示する請求項１に記載の清掃求人情報マッチングサービスシステム。
【請求項３】
清掃求人情報を検索項目に入力する都度に該当する件数を表示可能に構成した請求項１又は２に記載の清掃求人情報マッチングサービスシステム。
【請求項４】
求職者用端末装置において、求職者が検索項目の入力を完了し検索した結果として、基本情報を出力する第１段階と、詳細情報を出力する第２段階以上とを選択可能に表示する請求項１、２又は３に記載の清掃求人情報マッチングサービスシステム。
【請求項５】
求職者用端末装置に応募情報と共に求人情報の保存欄、メールによる応募欄又は応募用電話番号欄を表示してなる請求項１乃至４のいずれかに記載の清掃求人情報マッチングサービスシステム。
【請求項６】
求職者用端末装置に、最近見た求人の欄又は保存した求人の欄を選択可能に表示し、選択により出力可能に設けてなる請求項１乃至５のいずれかに記載の清掃求人情報マッチングサービスシステム。
【考案の詳細な説明】
【技術分野】
【０００１】
本考案は清掃求人情報マッチングサービスシステムに関する。
【背景技術】
【０００２】
清掃業務は多種多様に渡り、個々の業務には特殊な技術・専門性を必要とするもの、体力や経験を必要とするもの等が少なくない。また、体力を必要としない業務や未経験者にも可能な業務も数多い。更に、作業時間、作業時間帯、日数、作業地域、作業環境なども多肢多様であるから、応募から就職に至るまでを補助する清掃事業に特化した清掃求人情報マッチングサービスシステムが要請されている。
【考案の概要】
【考案が解決しようとする課題】
【０００３】
従来、清掃業務に特化した求人サイトが無く、一般的には作業者を求人する場合、求人者は必要な求人情報をインターネットの求人サイト等に載せ、求職者はその求人情報を見て応募するのであるが、求人者が求人情報を間違いなく過不足無く掲載することが難しく面倒であるばかりで無く、求職者がその求人サイトに登録したり、個々の情報の全てを閲覧することも困難で面倒であった。また、適当な清掃業務を探し当てて応募する手段も、応募用紙に住所・氏名など必要な事項を記入して文書で行う必要があり、時間と労力が必要であった。
【課題を解決するための手段】
【０００４】
そこで、本考案は、実用新案登録請求の範囲の第１項に記載の通り、清掃求人情報を検索項目別に入力可能な求人者用端末装置と、前記検索項目に検索条件としての清掃求人情報を入力し表示して検索可能な求職者用端末装置と、求人者用端末装置から入力された清掃求人情報を保存し且つ求職者用端末装置からの検索条件に合致した清掃求人情報を選択して求職者用端末装置へ出力する求人情報管理サーバとを備えた清掃求人情報マッチングサービスシステムにおいて、求人情報管理サーバが、求職者用端末装置へ出力する清掃求人情報として、清掃勤務態様を含む基本情報を閲覧可能に出力し保存可能にしたことからなる清掃求人情報マッチングサービスシステムを提供しようとするものである。
ここで清掃勤務態様とは、勤務場所、勤務日数、勤務時間、勤務開始時間、又は給与の何れか一以上からなる。
【０００５】
また、本考案は、実用新案登録請求の範囲の第２項に記載の通り、清掃求人情報を検索項目に選択可能な複数個の選択肢として求職者用端末装置に表示する請求項１に記載の清掃求人情報マッチングサービスシステムを提供しようとするものである。
【０００６】
また、本考案は、実用新案登録請求の範囲の第３項に記載の通り、清掃求人情報を検索項目に入力する都度に該当する件数を表示可能に構成した請求項１又は２に記載の清掃求人情報マッチングサービスシステムを提供しようとするものである。
【０００７】
また、本考案は、実用新案登録請求の範囲の第４項に記載の通り、求職者用端末装置において、求職者が検索項目の入力を完了し検索した結果として、基本情報を出力する第１段階と、詳細情報を出力する第２段階以上とを選択可能に表示する請求項１、２又は３に記載の清掃求人情報マッチングサービスシステムを提供しようとするものである。
【０００８】
また、本考案は、実用新案登録請求の範囲の第５項に記載の通り、求職者用端末装置に応募情報と共に求人情報の保存欄、メールによる応募欄又は応募用電話番号欄を表示してなる請求項１乃至４のいずれかに記載の清掃求人情報マッチングサービスシステムを提供しようとするものである。
【０００９】
また、本考案は、実用新案登録請求の範囲の第６項に記載の通り、求職者用端末装置に最近見た求人の欄又は保存した求人の欄を選択可能に表示し、選択により出力可能に設けてなる請求項１乃至５のいずれかに記載の清掃求人情報マッチングサービスシステムを提供しようとするものである。
【考案の効果】
【００１０】
本考案に関わる清掃求人情報マッチングサービスシステムによれば、実用新案登録請求の範囲の第１項に記載の通り、清掃求人情報を検索項目別に入力可能な求人者用端末装置と、前記検索項目に検索条件としての清掃求人情報を入力し表示して検索可能な求職者用端末装置と、求人者用端末装置から入力された清掃求人情報を保存し且つ求職者用端末装置からの検索条件に合致した清掃求人情報を選択して求職者用端末装置へ出力する求人情報管理サーバとを備えた清掃求人情報マッチングサービスシステムにおいて、求人情報管理サーバが、求職者用端末装置へ出力する清掃求人情報として、清掃勤務態様を含む基本情報を閲覧可能に出力し保存可能にしたことからなる構成を有することにより、清掃に特化した求人情報を提供することができるから、清掃業務に絞った求職者は迅速に的確に閲覧することができる効果があると共に、求人者は求人者用端末装置に検索項目に従って入力するだけで必要な清掃求人情報を漏れなく簡単且つ確実に情報提供可能であり、求職者は求職者用端末装置の検索項目に勤務可能な所望の求職条件を入力するだけで、求職条件に合致した求人情報が求職者用端末装置に出力され、条件に合致した両者が相互に迅速且つ的確に連絡することができる効果がある。
【００１１】
また、本考案に関わる清掃求人情報マッチングサービスシステムよれば、実用新案登録請求の範囲の第２項に記載の通り、清掃求人情報を検索項目に選択可能な複数個の選択肢として求職者用端末装置に表示する構成を有することにより、求職者は検索項目に表示された選択肢を選択するだけで求職情報を入力することができる効果がある。
【００１２】
また、本考案は、実用新案登録請求の範囲の第３項に記載の通り、清掃求人情報を検索項目に入力する都度に該当する件数を表示可能にした構成を有するから、求職者は、検索項目を入力するその都度に該当する件数を知ることができるから、それ以降の検索項目を入力しなくても検索するに十分な該当求人情報件数が分かり、検索のための入力作業を省力することができる効果がある。
【００１３】
また、本考案は、実用新案登録請求の範囲の第４項に記載の通り、求職者用端末装置において、求職者が検索項目の入力を完了し検索した結果として、基本情報を出力する第１段階と、詳細情報を出力する第２段階以上の段階とを選択可能に表示する構成を有するから、求職者は比較的簡単に基本情報だけで十分な第１段階と、比較的具体的且つ詳細な詳細情報を必要とする第２段階以上を選択して検索結果を検討することができる効果がある。
【００１４】
また、本考案は、実用新案登録請求の範囲の第５項に記載の通り、求職者用端末装置に応募情報と共に求人情報の保存欄、メールによる応募欄又は応募用電話番号欄を表示してなる構成を有することにより、求職者は応募情報と共に求人情報を保存して検討することができ、応募する場合にはメールアドレスにより求職者などを特定できると共に、そのままメール又は電話によって応募することができる効果がある。
【００１５】
また、本考案は、実用新案登録請求の範囲の第６項に記載の通り、求職者用端末装置に最近見た求人の欄又は保存した求人の欄を選択可能に表示し、選択により出力可能に設けてなる構成を有することにより、既に検索した同じ求人欄を重複して検索すること無く、直ちに再出力して検討することができる効果がある。
【図面の簡単な説明】
【００１６】
【図１】本考案の実施例の概略説明図。
【図２】本考案の実施例の要部の概略説明図。
【図３】本考案の実施例の他の要部の概略説明図。
【図４】本考案の実施例の他の要部の概略説明図。
【図５】本考案の実施例の他の要部の概略説明図。
【図６】本考案の実施例の他の要部の概略説明図。
【図７】本考案の実施例の他の要部の概略説明図。
【考案を実施するための形態】
【００１７】
以下図示する実施例により本考案の実施の形態を説明する。
【実施例】
【００１８】
図１に記載の清掃のパート又はアルバイトの求人・求職に係る実施例において、ｎ個の求人者用端末装置Ｋ１，Ｋ２・・・・Ｋｎと、ｍ個の求職者端末装置Ｃ１，Ｃ２・・・・Ｃｍは、インターネットＷを介して本考案に関わる求人情報管理サーバＳに接続可能である。
いずれかの求職者端末装置又は求人者用端末装置を前記サーバＳに接続すると、図２に記載のように、検索項目としてエリア１１、勤務日数１２、勤務時間１３、開始時間１４、時給１５等からなる選択欄１０が表示され、該選択欄１０のいずれかの検索項目をクリックすると選択肢欄が表示されるように構成されている。
【００１９】
図３は検索項目のエリア１１をクリックしたときに現れる概略地名図３０を示し、その中には鉄道駅名又は地名が表記された黒円形の選択肢として配置してある。その中から地名等を一個以上任意に選択すると、その駅又は土地を通過する全路線等が選択可能に表示され、いずれか１個以上を選択すると、図２の選択肢表示欄２１に選択した路線等が表示されるように構成してある。
この選択肢表示欄２１又は欄外には、選択した駅名又は地名等に該当する求人又は求職情報の件数を表示する構成にすることも可能である。他の検索項目においても選択肢表示と同時に該当する求人又は求職情報の件数を表示する構成にすることは可能である。
【００２０】
図３のエリアに関しては、実施例の場合、概略地名図又は一覧の駅名等から地名又は駅名を選択する第１段階と、第１段階で選択した地名又は駅名から更に表示される路線を選択肢として選択する第２段階とからなる。例えば、図３において、第１段階の選択肢として新宿３１を選択すると、東京西部（新宿）エリアの第２段階の選択肢として、ＪＲ中央・総武線、京王線、京王井の頭線、小田急線、東京メトロ丸ノ内線、都営大江戸線、全て選択、希望なし等が表示され、その中から希望する路線等を選択すると、図２の選択肢表示欄２１に選択した路線等が表示される。更に、第３段階の選択肢としては、路線を選択すると、選択した路線から駅名まで選択肢として表示させて、特定の駅を選択することができるように構成することができる。
図４乃至図７の勤務日数などの検索項目では、実施例の場合、第１段階の選択肢で図２のそれぞれの選択肢表示欄２２〜２５に選択した選択肢が表示されるように構成してある。図４は検索項目の勤務日数（１週間）欄１２をクリックしたときの選択肢であり、図５は検索項目の勤務時間欄１３をクリックしたときの選択肢であり、図６は開始時間欄１４、図７は時給欄１５をそれぞれクリックしたときの選択肢を表示してある。なお、図２に記載の実施例では、選択欄１０の検索項目１１乃至１５は個々独立に１項目毎に設けてあるが、端末装置の表示欄の大きさを縮小するためと、クリック操作等の選択操作の迅速化のために、２項目を統合して、例えば、開始時間欄１４と時給欄１５を「開始時間・時給」欄と一欄にし、その選択肢を図６と図７を併記した一覧に構成することも可能である。
【００２１】
求人者は求人者用端末装置に表示された選択欄１０の選択肢から清掃求人情報を各選択欄毎に表示された地名、時間又は時給などの選択肢を１個以上適宜に選択することによって、求人情報をサーバＳに登録することができる。また、求人者に必須選択項目又は必須選択肢を指定して求人情報をサーバＳに登録することができるように構成することもできる。また、例えば、担当部署、担当者、受付時間、求人担当者からのコメント、面接設定や勤務地又は時給等で選択肢に無い情報に関しては文字入力により求人情報をサーバＳに登録することができるように構成することができる。また、写真、動画による説明を含む求人情報に関しては、画像又は映像入力により求人情報をサーバＳに登録することができるように構成することもできる。
同様に求職者は求職者用端末装置に表示された選択欄１０の選択肢から清掃求職情報を各選択欄１０毎に表示された地名、時間又は時給などの選択肢をゼロ又は１個以上適宜に選択し、検索することによって、サーバＳを介して条件の合致した求人情報を求職者端末装置に表示させる構成にすることができる。
また、求職者端末装置において、選択肢を選択するとその都度に該当する件数を表示可能にして、検索の選択肢選択作業を省力することができる。
【００２２】
求職者が求職者用端末装置の選択肢表示欄から選択肢を選択して検索すると、一個以上の該当する求人情報が表示され、その求人情報をクリックする等して選択すると、基本求人情報欄・求人情報の保存欄・メールによる応募・電話による応募欄などの欄が現れ、その中から任意に休職者を選択し連絡することができる。
基本求人情報欄をクリック操作等により開くと、写真、動画による説明を含む仕事の内容、場所、時給及び勤務時間などが表示される。
同時に詳細情報欄が表示され、選択することによって、時給、勤務地、最寄駅、仕事の特徴、社会保険の有無、有給休暇、交通費の支給、就業場所人数などが表示される。
【００２３】
また、応募情報欄を併設し、応募情報として、会社名、会社住所、ホームページ、事業内容、資本金、社員数、担当部署、担当者、受付時間、担当者からのコメント、面接設定などを表示させることができる。
また、求職者用端末装置には、最近見た求人欄と保存した求人欄が設けてあり、求職者は応募情報と共に求人情報を保存して検討することができると共に、そのままメール又は電話によって応募することができる。メールで応募する場合には、氏名とメールアドレスにより応募者を特定できるから、求職者がその都度に住所を入力する労力を不要とすることが可能である。
【符号の説明】
【００２４】
Ｓ    求人情報管理サーバ
Ｗ    インターネット
Ｋ１，Ｋ２・・・・Ｋｎ    求人者用端末装置
Ｃ１，Ｃ２・・・・Ｃｍ    求職者用端末装置
１０  選択欄
１１〜１５  選択肢
２１〜２５  選択肢表示欄
３０  概略地名図
【図１】
0003208584.tif 000003
【図２】
0003208584.tif 000004
【図３】
0003208584.tif 000005
【図４】
0003208584.tif 000006
【図５】
0003208584.tif 000007
【図６】
0003208584.tif 000008
【図７】
0003208584.tif 000009